(57)【特許請求の範囲】
【請求項１】
少なくとも一つのアウターメンバーと、摺動方向の両端部に設けられた左右のベルトガイド部材を介して摺動方向に渡ってエンドレスバンドがとりつけられたボールリテーナと、ボールリテーナを介してアウターメンバーに摺動自在に設けられたインナーメンバーよりなり、エンドレスバンドのインナーメンバー側の一部とインナーメンバーの所定箇所が連結され、エンドレスバンドのアウターメンバー側の一部とアウターメンバーの所定箇所が連結されたスライドレールにおいて、インナーメンバーに第１嵌合係止孔を設け、エンドレスバンドに第１位置決め部材を取り付け、第１位置決め部材を保持した状態で第１嵌合部材を、第１嵌合係止孔に嵌合係止する一方、アウターメンバーに第２嵌合係止孔を設け、エンドレスバンドに第２位置決め部材を取り付け、第２位置決め部材を保持した状態で第２嵌合部材を、第２嵌合係止孔に嵌合係止することを特徴とするスライドレール。
【請求項２】
少なくとも一つのアウターメンバーと、摺動方向の両端部に設けられた左右のベルトガイド部材を介して摺動方向に渡ってエンドレスバンドがとりつけられたボールリテーナと、ボールリテーナを介してアウターメンバーに摺動自在に設けられたインナーメンバーよりなり、エンドレスバンドのインナーメンバー側の一部とインナーメンバーの所定箇所が連結され、エンドレスバンドのアウターメンバー側の一部とアウターメンバーの所定箇所が連結されたスライドレールにおいて、左右のベルトガイド部材は、合成樹脂材より構成され、ボールリテーナの摺動方向の両端部と連結される連結部と、エンドレスバンドをガイドする案内部と、連結部と案内部間に一体に連設された弾性付与部より構成されている事を特徴とするスライドレール。
【請求項３】
少なくとも一つのアウターメンバーと、摺動方向の両端部に設けられた左右のベルトガイド部材を介して摺動方向に渡ってエンドレスバンドがとりつけられたボールリテーナと、ボールリテーナを介してアウターメンバーに摺動自在に設けられたインナーメンバーよりなり、エンドレスバンドのインナーメンバー側の一部とインナーメンバーの所定箇所が連結され、エンドレスバンドのアウターメンバー側の一部とアウターメンバーの所定箇所が連結されたスライドレールにおいて、インナーメンバーに第１嵌合係止孔を設け、エンドレスバンドに第１位置決め部材を取り付け、第１位置決め部材を保持した状態で第１嵌合部材を、第１嵌合係止孔に嵌合係止する一方、アウターメンバーに第２嵌合係止孔を設け、エンドレスバンドに第２位置決め部材を取り付け、第２位置決め部材を保持した状態で第２嵌合部材を、第２嵌合係止孔に嵌合係止し、左右のベルトガイド部材は、合成樹脂材より構成され、ボールリテーナの摺動方向の両端部と連結される連結部と、エンドレスバンドをガイドする案内部と、連結部と案内部間に一体に連設された弾性付与部より構成されている事を特徴とするスライドレール。
【発明の詳細な説明】
【技術分野】
【０００１】
本発明は、アウターメンバーに対しインナーメンバーが何度も摺動を繰り返したときに、ボールリテーナが正規の摺動位置から位置ずれを起こすのを防止した、特に複写機の画像走査のため原稿台を移動させるスライドレールに関するものである。
【背景技術】
【０００２】
従来の上記スライドレールは、少なくとも断面略C字形のアウターメンバーと、該アウターメンバーと摺動自在とした断面略C字形のインナーメンバーと、上記両メンバーの屈折縁間で、ボールを回転自在に保持するボールリテーナからなるスライドレールにおいて、上記ボールリテーナに前後方向に渡ってエンドレスバンドがとりつけられ、該エンドレスバンドの内面がボールリテーナの基板の摺動方向端部に回転自在に取り付けられた回転ローラの外面に密着し、インナーメンバーとアウターメンバーに形成された係止孔に取り付けられる係合雌型と、係合雌型に取り付けられる係合雄型よりなる係合部材をもって、エンドレスバンドの一部がインナーメンバー、アウターメンバーと連結されているものである。（特許文献１参照）
【０００３】
すなわち、上記スライドレールは、回転ローラ、係合雌型、係合雄型等、エンドレスバンドを配設するための部品点数が多くなり、高価なものとなっていた。
特に回転ローラはコストアップにつながる一番の要因でもあった。したがって、回転ローラにかわって、合成樹脂製のベルトガイドをボールリテーナの摺動方向の両端部に取り付けるのが一般的になっている。
一方、上記スライドレールは次のようにして組み立てられる。
まず、エンドレスバンドが装着されたボールリテーナの端部がアウターメンバーのストッパーに当接した状態を維持し、インナーメンバーをボールとスリップさせながら、ボールリテーナの所定位置までボールとスリップさせながら移動させる。次に、インナーメンバーの係止孔よりエンドレスバンドの一部を円弧状に上方に突出せしめて接着材を塗布した係合雌型をエンドレスバンドの下側で係止孔に固着する。
次に、エンドレスバンドを係合雌型の挿通路に位置せしめ、さらに接着剤を塗布した係合雄型を係合雌型の係合凹孔内に、エンドレスバンドと共に嵌合し、固着する。さらに、アウターメンバーの係止孔に上記作業と同様の作業にてエンドレスバンドの一部をアウターメンバーと連結する。
【０００４】
このため、インナーメンバーをボールとスリップさせながら、ボールリテーナの所定位置まで移動させる作業（ベルトを両メンバーに固定する前に、アウターメンバー、インナーメンバー、ボールリテーナの位置を正しく配置する作業）、小さな係合雌型、係合雄型に接着剤を塗布する作業、さらに、小さな係合雌型に係合雄型を接着材が塗布された状態で、両メンバーあるいは互いに係合させる作業等、組立て作業が煩雑で、非常に作業効率が悪かった。
又、スライドレールに配設されたエンドレスバンドの長さは、湿度、温度によって変化するので、エンドレスバンドが長くなったとき、張設状態が緩み、ボールリテーナとインナーメンバー間にスリップ現象が発生したり、エンドレスバンドが縮んだ時、張設状態が緊張し、インナーメンバーの動きが重くなることがあった。
【先行技術文献】
【特許文献】
【０００５】
【特許文献１】実公平３−１２９７２号公報
【発明の概要】
【発明が解決しようとする課題】
【０００６】
本発明は、上記問題に鑑み、部品点数を削減し、組立ての作業効率を向上させて、コストダウンを実現し、環境の変化にスライド性能が左右されない、スライドレールを提供することを課題とする。
【課題を解決するための手段】
【０００７】
上記課題を解決する為、本発明が第１の手段として構成したところは、少なくとも一つのアウターメンバーと、摺動方向の両端部に設けられた左右のベルトガイド部材を介して摺動方向に渡ってエンドレスバンドがとりつけられたボールリテーナと、ボールリテーナを介してアウターメンバーに摺動自在に設けられたインナーメンバーよりなり、エンドレスバンドのインナーメンバー側の一部とインナーメンバーの所定箇所が連結され、エンドレスバンドのアウターメンバー側の一部とアウターメンバーの所定箇所が連結されたスライドレールにおいて、インナーメンバーに第１嵌合係止孔を設け、エンドレスバンドに第１位置決め部材を取り付け、第１位置決め部材を保持した状態で第１嵌合部材を、第１嵌合係止孔に嵌合係止する一方、アウターメンバーに第２嵌合係止孔を設け、エンドレスバンドに第２位置決め部材を取り付け、第２位置決め部材を保持した状態で第２嵌合部材を、第２嵌合係止孔に嵌合係止したものである。
【０００８】
上記課題を解決する為、本発明が第２の手段として構成したところは、少なくとも一つのアウターメンバーと、摺動方向の両端部に設けられた左右のベルトガイド部材を介して摺動方向に渡ってエンドレスバンドがとりつけられたボールリテーナと、ボールリテーナを介してアウターメンバーに摺動自在に設けられたインナーメンバーよりなり、エンドレスバンドのインナーメンバー側の一部とインナーメンバーの所定箇所が連結され、エンドレスバンドのアウターメンバー側の一部とアウターメンバーの所定箇所が連結されたスライドレールにおいて、左右のベルトガイド部材は、合成樹脂材より構成され、ボールリテーナの摺動方向の両端部と連結される連結部と、エンドレスバンドをガイドする案内部と、連結部と案内部間に一体に連設された弾性付与部より構成されているものである。
【０００９】
上記課題を解決する為、本発明が第３の手段として構成したところは、少なくとも一つのアウターメンバーと、摺動方向の両端部に設けられた左右のベルトガイド部材を介して摺動方向に渡ってエンドレスバンドがとりつけられたボールリテーナと、ボールリテーナを介してアウターメンバーに摺動自在に設けられたインナーメンバーよりなり、エンドレスバンドのインナーメンバー側の一部とインナーメンバーの所定箇所が連結され、エンドレスバンドのアウターメンバー側の一部とアウターメンバーの所定箇所が連結されたスライドレールにおいて、インナーメンバーに第１嵌合係止孔を設け、エンドレスバンドに第１位置決め部材を取り付け、第１位置決め部材を保持した状態で第１嵌合部材を、第１嵌合係止孔に嵌合係止する一方、アウターメンバーに第２嵌合係止孔を設け、エンドレスバンドに第２位置決め部材を取り付け、第２位置決め部材を保持した状態で第２嵌合部材を、第２嵌合係止孔に嵌合係止し、左右のベルトガイド部材は、合成樹脂材より構成され、ボールリテーナの摺動方向の両端部と連結される連結部と、エンドレスバンドをガイドする案内部と、連結部と案内部間に一体に連設された弾性付与部より構成されているものである。
【発明の効果】
【００１０】
本発明の第１の手段として構成したところによると、エンドレスバンドの第１、第２位置決め部材を保持する第１、第２嵌合部材より構成しているので、部材点数が少なく安価に製作できるだけでなく、エンドレスバンドに対する第１、第２位置決め部材の取り付け位置と、第１、第２嵌合係止孔の位置を予め設定して加工しておけば、いずれか一方の位置決め部材と、それに対応する嵌合部材をいずれか一方のメンバーに嵌合すれだけで、自然（自動的）にアウターメンバー、ボールリテーナ、インナーメンバーの正規位置が決定されるので、作業効率が非常に良い。
【００１１】
本発明の第２の手段として構成したところによると、左右のベルトガイド部材を合成樹脂材で形成し、連結部と案内部間に一体に弾性付与部を構成しているので、環境の変化(湿度、温度の変化)による、エンドレスバンドの伸び縮みに対応して、弾性付与部が弾性変形し、エンドレスバンドを常に安定した張設状態とするので、インナーメンバーの摺動性能に影響を与えることがない。
【００１２】
本発明の第３の手段として構成したところによると、第１の手段として構成したところ、第２の手段として構成したところの効果を合わせ持つ。
【図面の簡単な説明】
【００１３】
【図１】本発明の斜視図である。
【図２】本発明の要部分解斜視図である。
【図３】第１嵌合部材の表面側斜視図である。
【図４】第１嵌合部材の裏面側斜視図である。
【図５】ベルトガイド部材の斜視図である。
【図６】第１、第２嵌合部材が重なった位置での要部断面図である。
【図７】図６のＡ−Ａ線断面図である。
【図８】ベルトガイド部材が位置する箇所の要部断面図である。
【図９】第１位置決め部材を第１嵌合部材に保持する作業を示す説明図である。
【図１０】（イ）エンドレスバンドの通常長さに対応するベルトガイドの位置を示す説明図である。               （ロ）エンドレスバンドの収縮状態に対応するベルトガイドの位置を示す説明図である。
【発明を実施するための最良の形態】
【００１４】
少なくとも一つのアウターメンバーと、摺動方向の両端部に設けられた左右のベルトガイド部材を介して摺動方向に渡ってエンドレスバンドがとりつけられたボールリテーナと、ボールリテーナを介してアウターメンバーに摺動自在に設けられたインナーメンバーよりなり、エンドレスバンドのインナーメンバー側の一部とインナーメンバーの所定箇所が連結され、エンドレスバンドのアウターメンバー側の一部とアウターメンバーの所定箇所が連結されたスライドレールにおいて、インナーメンバーに第１嵌合係止孔を設け、エンドレスバンドに第１位置決め部材を取り付け、第１位置決め部材を保持した状態で第１嵌合部材を、第１嵌合係止孔に嵌合係止する一方、アウターメンバーに第２嵌合係止孔を設け、エンドレスバンドに第２位置決め部材を取り付け、第２位置決め部材を保持した状態で第２嵌合部材を、第２嵌合係止孔に嵌合係止し、第１、第２嵌合係止孔は対向した同形で、第１、第２嵌合部材は兼用可能で、左右のベルトガイド部材は、対向した同形に合成樹脂材より構成され、ボールリテーナの摺動方向の両端部と連結される連結部と、エンドレスバンドをガイドする案内部と、連結部と案内部間に一体に連設された弾性付与部より構成されているものである。
【実施例】
【００１５】
以下、本発明の実施例を添付図面に基づいて説明する。
図１、図２、図６において、符号１はアウターメンバーを示し、符号２はインナーメンバーを示し、符号３はボールリテーナを示し、符号４はエンドレスバンドを示し、符号５、５は第１、第２嵌合部材を示している。
【００１６】
アウターメンバー１は、帯状金属板からなる基板１１と、該基板１１の短手側両端部を内向き円弧状に湾曲して形成された内面長手方向にボール摺動溝１２、１２を有する屈折縁１３、１３より断面略上向きＣ字形に形成されている。そして、基板１１の前後端部に、基板１１の一部を内方に折り曲げた、インナーメンバー２のストッパー１４、１４が設けられている。
又、基板１１の摺動方向中央部には、第２嵌合部材５を介してエンドレスバンド４の一部が連結される第２嵌合係止孔７が形成されている。
【００１７】
第２嵌合係止孔７（図６、図７参照）は、摺動方向で対向し、短手方向中央部に第２バンド突出孔７１を有し、互いに対抗して内側方向に上向きに突出する第２載置部７２・・・と、摺動方向に対向する第２載置部７２・・・間に位置し、第２嵌合係止孔７が形成された基板２１の前後端面が兼用する第２前後係止部７３、７３を有している。
【００１８】
インナーメンバー２は、アウターメンバー１の３分の１程度の長さで、アウターメンバー１に挿入可能な大きさの帯状金属板よりなる基板２１と、基板２１の短手側の両端部を外向き円弧状に湾曲して形成された、外面長手方向にボール摺動溝２２、２２を有する屈折縁２３、２３より、断面下向きＣ字形に形成されている。
そして、基板２１の摺動方向両端部に、連結用ボルト、２１１、２１１を設け、基板２１の摺動方向中央部には、第１嵌合部材５を介してエンドレスバンド４の一部が保持される第１嵌合係止孔８が形成されている。
【００１９】
第１嵌合係止孔８（図９参照）は、前記第２嵌合係止孔７に対向した同形に形成されている。すなわち、摺動方向で対向し、短手方向中央部に第１バンド突出孔８１を有し、互いに対抗して内側方向に下向きに突出する第１載置部８２・・・と、摺動方向に対向する第１載置部８２・・・間に位置し、第１嵌合係止孔８が形成された基板２１の前後端面が兼用する第１前後係止部８３、８３を有している。
【００２０】
第１嵌合係止孔８、第２嵌合係止孔７に嵌合する第１、第２嵌合部材５、５は、第１嵌合係止孔８、第２嵌合係止孔７に対応して嵌合方向が対向しているが、同形に形成されているので、第１嵌合係止孔８に嵌合する第１嵌合部材５についてのみ説明する。
第一嵌合部材５（図３、図４参照）は、前記第１嵌合係止孔８の第１載置部８２・・に載置される左右前後載置用突部５１・・・が、上端の摺動方向両端部に外方に突出して形成された前後壁５２、５２と、前後壁５２、５２の下端部で、摺動方向の端部間を連結し、エンドレスバンド４が上面に接触するバンド下面左右支持部５３、５３と、エンドレスバンド４の所定位置に取り付けられた第１位置決め部材８０を保持する保持孔５４と、前後壁５２、５２の外面所定位置で前後方向に突出し摺動方向に渡って形成された、前記第１前後係止部８３、８３の下面に係止する係止突条５５、５５より、合成樹脂材にて一体に成形されて構成されている。
【００２１】
ボールリテーナ３は、帯状金属板にて、上記アウターメンバー１、インナーメンバー２間に挿入可能な大きさで、かつ、アウターメンバー１の半分程度の長さとし、基板３１と、屈折縁３２、３２よりなり、屈折縁３２、３２の長手方向数箇所にそれぞれ複数個のボール３０・・・が回転自在に保持され、基板３１の摺動方向の両端部には着脱自在に、摺動方向に対向する左右のベルトガイド部材６、６が取り付けられている。
【００２２】
左右のベルトガイド部材６、６は同形部材を摺動方向で対向させて配置されているだけであるから左側のベルトガイド部材６についてのみ説明する。
ベルトガイド部材６（図５参照）は、ボールリテーナ３の基板３１の前端部に形成されたガイド部材取付用切り欠き部３４に嵌入する前後嵌入溝６１、６１が前後端面の摺動方向に形成された連結部６２と、連結部６２の所定寸法前方に位置し、ガイド部材取付用切り欠き部３４に嵌入する左側前後嵌入溝６３、６３が前後端面の摺動方向に形成された前後ガイド壁６４、６４と、前後ガイド壁６４、６４の右側端部に連設され、エンドレスバンド４が折り返される折り返し支持壁６５より平面視略コ字形に形成された案内部６７と、連結部６２と案内部６７間に連設され、平面視略Ｕ字形をなし、摺動方向で拡縮する弾性変形可能な弾性付与部６６が合成樹脂材より一体に成形された構成されている。
【００２３】
エンドレスバンド４はボールリテーナ３の摺動側端部に設けられた左右のベルトガイド部材６、６の折り返し支持壁６５、６５の外面に密着し、前後幅が前後ガイド壁６４、６４間の寸法にほぼ一致し、摺動方向に架け渡され、インナーメンバー２側とアウターメンバー１側の所定位置に第１位置決め部材８０、第２位置決め部材７０が設けられている。
第１位置決め部材８０と、第２位置決め部材７０は同形に形成されているので、第１位置決め部材８０についてのみ説明する。
第１位置決め部材８０は、金属製板材を、エンドレスバンド４を挟んで偏平Ｕ字形に折りつぶして圧着され、エンドレスバンド４の前後方向で突出し、摺動方向の寸法は、第１嵌合部材５の保持孔５４の摺動方向の寸法にほぼ一致し、前後方向の寸法は保持孔５４の前後方向に寸法にほぼ一致する。すなわち、第１位置決め部材８０は、第１嵌合部材５の保持孔５４に上方から嵌合し保持される。
【００２４】
尚、第１位置決め部材８０、あるいは、第２位置決め部材７０は、バンドの両端部を連結してエンドレスバンド４とするための連結部材として使用されることもある。
又、第１嵌合部材５、第２嵌合部材５は同形に形成され、第１決め部材８０、第２決め部材７０も同形に形成されているので、兼用して使用することができ、さらに部品点数が削減され、安価に製作することが出来る。
更に、左右のベルトガイド部材６、６は、対向して同形に形成されているので、兼用して使用することができ、さらに部品点数が削減され、安価に製作することが出来る。
【００２５】
アウターメンバー１の長さ、インナーメンバー２の長さと摺動範囲、それに対応するボールリテーナ３の長さ(エンドレスバンド４の長さ)に応じて、第２嵌合係止孔７、第１嵌合係止孔８、第２位置決め部材７０、第１位置決め部材８０が所定位置に形成された（実施例ではエンドレスバンド４に設けられる第１位置決め部材８０と第２位置決め部材８０は、エンドレスバンド４がボールリテーナ３に架け渡たされたとき、ボールリテーナ３の摺動方向の中央部で、基板３１の上下面側に対向して位置する箇所に設けられ、第２嵌合係止孔７と第１嵌合係止孔８は、アウターメンバー１とインナーメンバー２の摺動方向の中央部に設けられている。）、アウターメンバー１、エンドレスバンド４がかけ渡されたボールリテーナ３、インナーメンバー２は次のようにして組立てられる。
【００２６】
アウターメンバー１の一方のストッパー１４が形成されていない側から、第１位置決め部材８０と第２位置決め部材８０が摺動方向の中央部位置した状態にエンドレスバンド４が架け渡されたボールリテーナ３を挿入して、ストッパー１４が形成されていない側の端部に位置させる。
そして、インナーメンバー２をストッパー１４が形成されていない側から、アウターメンバー１に挿入し、第１嵌合係止孔８に第１位置決め部材８０が臨む位置まで、インナーメンバー２を摺動する。（このとき、実施例では、インナーメンバー２は、ボールリテーナ３と共に摺動し、アウターメンバー１、ボールリテーナ３の摺動方向のそれぞれの中央部に位置することとなる。）
【００２７】
次に、第１位置決め部材８０を第１嵌合係止孔８から上方に持ち上げ（図９に示す状態）、第１嵌合部材５を斜め上方から、第１位置決め部材８０の下方に潜らせ、第１位置決め部材８０を保持孔５４に嵌合保持した状態で、第１嵌合部材５を第１嵌合係止孔８の上方から、前後左右載置用突部５１・・・が前記第１嵌合係止孔８の第１載置部８２・・・に当接するまで押し下げると、係止突条５５、５５が第１前後係止部８３、８３の下面に係止し、第１嵌合部材５は、第１位置決め部材８０を保持孔５４に保持した状態で第１嵌合係止孔８に嵌合係止される。
【００２８】
この時、実施例では、アウターメンバー１の第２嵌合係止孔７に第２位置決め部材７０が臨む状態に自動的に位置するので、上記と同様にして、第２嵌合部材５を第２位置決め部材７０に保持した状態で、第２嵌合係止孔７に嵌合係止し、最後にストッパー１４を立ち上げる。
すなわち、第１、第２位置決め部材８０、７０を所定位置に設けたエンドレスバンド４を、ボールリテーナ３がアウターメンバー１に組み込まれる前に、ボールリテーナ３に架け渡しておく事で、第１嵌合係止孔８、第２嵌合係止孔７と第１、第２位置決め部材８０、７０は自動的に所定箇所で重なり合い、一方側を連結した状態（例えば、インナーメンバー２とエンドレスバンド４を連結した状態）で、他方側（例えばアウターメンバー１)と連結するため、インナーメンバー２、ボールリテーナ３（ボール３０・・・）を強制的にスリップさせる必要がないので作業効率が非常に良い。
【００２９】
一方、第１位置決め部材８０を第１嵌合係止孔８から上方に持ち上げた時（図９に示す状態）、あるいは、第２位置決め部材７０を第２嵌合係止孔７から上方に持ち上げた時、ボールリテーナ３の摺動方向の両端部に設けたベルトガイド部材６、６の弾性付与部６６、６６が一旦縮まった状態（図１０（ロ）に示す状態）となり、第１嵌合係止孔８（第２嵌合係止孔７）に第１嵌合部材５（第２嵌合部材５）が嵌合係止した時、正規の状態（図１０（イ）に示す状態）となり、エンドレスバンド４を所定の緊張状態で張設する。
そして、環境の変化(湿度、温度の変化)による、エンドレスバンド４の伸び縮みに対応して、弾性付与部６６が弾性変形し、エンドレスバンド４の安定した張設状態を得る事が出来る。
【符号の説明】
【００３０】
１                アウターメンバー
１１              基板
２                インナーメンバー
２１              基板
３                ボールリテーナ
３１              基板
３２、３２        左右の折曲縁
１２、１２        ボール摺動面
４                エンドレスバンド
５                第１、第２嵌合部材
６                ベルトガイド部材
６２              連結部
６４              案内部
６６              弾性付与部
７                第２嵌合係止孔
７０              第２位置決め部材
８                第１嵌合係止孔
８０              第１位置決め部材
【図１】
0006495766.tif 000002
【図２】
0006495766.tif 000003
【図３】
0006495766.tif 000004
【図４】
0006495766.tif 000005
【図５】
0006495766.tif 000006
【図６】
0006495766.tif 000007
【図７】
0006495766.tif 000008
【図８】
0006495766.tif 000009
【図９】
0006495766.tif 000010
【図１０】
0006495766.tif 000011